(57)【要約】      （修正有）【課題】収容設置槽中で左右に移動せず、堅固性が強化されるガイド及び固定効果を備えるパワーサプライラックを提供する。【解決手段】パワーサプライラック１００は、ラック収容設置槽１０１の両側の側壁に設置される第一左ガイド固定ブロック１０、第一右ガイド固定ブロックを有する。第一左ガイド固定ブロック、第一右ガイド固定ブロックは収容設置槽の前側に対応し、第一左ガイド斜面１１、第一右ガイド斜面をそれぞれ有し、収容設置槽の中央位置に向かって第一左固定平面１２、第一右固定平面が対応して設置される。パワーサプライが収容設置槽に進入すると、第一左ガイド斜面１１、第一右ガイド斜面によって収容設置槽の真ん中に導かれ、第一左固定平面１２、第一右固定平面に挟持され、収容設置槽中で左右に移動せず、パワーサプライの堅固性を強化できる。【選択図】図２
0003220912.tif 000002
【実用新案登録請求の範囲】
【請求項１】
ガイド及び固定効果を備え、数個の収容設置槽を有し、両側には左側板及び右側板をそれぞれ有するパワーサプライラックであって、
各前記収容設置槽にはそれぞれ１個のパワーサプライが収容されて設置され、
前記収容設置槽の左側側壁に設置される第一左ガイド固定ブロックは前記収容設置槽の前側に対応し、また第一左ガイド斜面を有し、前記第一左ガイド斜面は前記収容設置槽の前側へ向かい延伸し、しかも前記収容設置槽の右側から左側へと傾斜し、
前記収容設置槽の右側側壁に設置される第一右ガイド固定ブロックは前記第一左ガイド固定ブロック及び前記収容設置槽の前側に対応し、また第一右ガイド斜面を有し、前記第一右ガイド斜面は前記収容設置槽の前側へ向かい延伸し、しかも前記収容設置槽の左側から右側へと傾斜し、
これにより、前記パワーサプライが前記パワーサプライラックの前記収容設置槽に進入する時、前記第一左ガイド斜面及び前記第一右ガイド斜面によって前記収容設置槽の真ん中の位置に導かれ、前記収容設置槽中で左右に移動せず、前記パワーサプライの前記収容設置槽中での堅固性が強化されることを特徴とするパワーサプライラック。
【請求項２】
前記第一左ガイド固定ブロック及び前記第一右ガイド固定ブロックは、第一左固定平面及び第一右固定平面にそれぞれ設置され、
前記第一左固定平面及び前記第一右固定平面は、前記パワーサプライ両側の前記左側板及び前記右側板に接触して支えることを特徴とする請求項１に記載のパワーサプライラック。
【請求項３】
前記パワーサプライは後側に、縦方向に背面板を有し、底側に、横方向に底板を有し、
前記第一左ガイド固定ブロック及び前記第一右ガイド固定ブロックは、前記収容設置槽の後方位置に設置され、しかも前記第一左固定平面及び前記第一右固定平面は、前記パワーサプライの前記背面板及び前記底板が相互に連接する対応箇所に位置することを特徴とする請求項２に記載のパワーサプライラック。
【請求項４】
第二左ガイド固定ブロック及び第二右ガイド固定ブロックをさらに有し、
前記第二左ガイド固定ブロック及び前記第二右ガイド固定ブロックは、前記収容設置槽の前方位置に対応して設置され、第二左固定平面及び第二右固定平面をそれぞれ有し、
前記第二左固定平面及び前記第二右固定平面は、前記パワーサプライ両側の前記左側板及び前記右側板に接触して支え、しかも前記第二左固定平面及び前記第二右固定平面は、前記底板の対応箇所に位置することを特徴とする請求項３に記載のパワーサプライラック。
【請求項５】
前記第一左ガイド固定ブロック及び前記第一右ガイド固定ブロックの材質はエンジニアリング・プラスチックで、
前記第二左ガイド固定ブロック及び前記第二右ガイド固定ブロックの材質はゴムであることを特徴とする請求項４に記載のパワーサプライラック。
【考案の詳細な説明】
【技術分野】
【０００１】
本考案はパワーサプライのラックに関し、特にガイド及び固定効果を備えるパワーサプライラックに関する。
【背景技術】
【０００２】
従来、パワーサプライをラックに設置する時には、使用者は、先にパワーサプライをラックの収容設置槽に入れた後、パワーサプライの後方両側の側壁に、Ｌ型固定板を固定して設置する。
これにより、各Ｌ型固定板の反対端はラックのさらに後方に位置し、しかもラック両側の方向へと延伸し、使用者がＬ型固定板の反対端をラックの後側に螺合固定することで、パワーサプライはラック中に堅固に設置され、ぐらつく恐れがなくなる。
【０００３】
しかし、パワーサプライのＬ型固定板は後方からラックの後側と螺合固定されるため、操作上、非常に不便である。しかもパワーサプライの前側には固定装置がないため、ラックを移動させる過程において、パワーサプライの前側はぐらつき不安定になりやすく、さらにはラックの両側側壁にぶつかり損壊する恐れさえある。
【考案の概要】
【考案が解決しようとする課題】
【０００４】
前記先行技術には、螺合固定の操作が非常に不便で、しかもラック移動の過程でパワーサプライの前側がぐらつき、不安定になりやすく、ラックの両側側壁にぶつかり、損壊しやすいという欠点がある。
【課題を解決するための手段】
【０００５】
本考案は簡単な構造を利用することで、ガイド及び固定効果を備え、パワーサプライをラックの収容設置槽内に堅固に固定できるパワーサプライラックを提供する。
【０００６】
本考案による本考案が提供するパワーサプライラックは、数個の収容設置槽を有し、両側には、左側板及び右側板をそれぞれ有する。各収容設置槽には、それぞれ１個のパワーサプライが収容されて設置される。
該収容設置槽の左側側壁に設置される第一左ガイド固定ブロックは、該収容設置槽の前側に対応し、また第一左ガイド斜面を有する。
該第一左ガイド斜面は該収容設置槽の前側へ向かい延伸し、しかも該収容設置槽の右側から左側へと傾斜する。
該収容設置槽の右側側壁に設置される第一右ガイド固定ブロックは、該第一左ガイド固定ブロック及び該収容設置槽の前側に対応し、また第一右ガイド斜面を有する。
該第一右ガイド斜面は該収容設置槽の前側へ向かい延伸し、しかも該収容設置槽の左側から右側へと傾斜する。
【０００７】
本考案が提供するパワーサプライラックにおいて、パワーサプライがラックの収容設置槽に進入する時、第一左ガイド斜面及び第一右ガイド斜面によって収容設置槽の真ん中の位置に導かれ、収容設置槽中で左右に移動せず、収容設置槽中でのパワーサプライの堅固性が強化される。
【図面の簡単な説明】
【０００８】
【図１】本考案の一実施形態のラックの立体斜視図であり、ラックにパワーサプライが未設置な形態を示す。
【図２】本考案の一実施形態の部分拡大図であり、第一左ガイド固定ブロック及び第二左ガイド固定ブロックが収容設置槽に設置された形態を示す。
【図３】本考案の一実施形態の部分拡大図であり、第一右ガイド固定ブロック及び第二右ガイド固定ブロックが収容設置槽に設置された形態を示す。
【図４】本考案の一実施形態の正面図であり、パワーサプライが収容設置槽に未設置な形態を示す。
【図５】本考案の一実施形態の使用模式図であり、パワーサプライが収容設置槽に設置された形態を示す。
【考案を実施するための形態】
【０００９】
（一実施形態）
本考案の一実施形態のラックの立体斜視図である図１に示す通り、パワーサプライラック１００において、ラック１００は、数個の収容設置槽１０１を有する。
各収容設置槽１０１には、それぞれ１個のパワーサプライ２００が収容されて設置される。
パワーサプライ２００は両側に、左側板２０１及び右側板２０２をそれぞれ有する。
パワーサプライ２００は後側に、縦方向に背面板２０３を有し、底側に、横方向に底板２０４を有する。
【００１０】
第一左ガイド固定ブロック１０は図２に示す通り、収容設置槽１０１の左側側壁に設置され、しかも収容設置槽１０１の後方に位置する。
第一左ガイド固定ブロック１０は絶縁機能を備えるエンジニアリング・プラスチックである。
第一左ガイド固定ブロック１０は収容設置槽１０１の前側に対応し、第一左ガイド斜面１１を有する。
第一左ガイド斜面１１は収容設置槽１０１の前側へ向かい延伸し、しかも第一左ガイド斜面１１は収容設置槽１０１の右側から左側へと傾斜する。
第一左ガイド固定ブロック１０は収容設置槽１０１の中央位置に対応し、第一左固定平面１２を設置する。
第一左固定平面１２には、２個の螺合孔１３が貫通状に設置され、ネジを用いて、第一左ガイド固定ブロック１０が収容設置槽１０１の左側側壁に固定される。
パワーサプライ２００を収容設置槽１０１に設置すると、第一左固定平面１２はパワーサプライ２００の背面板２０３及び底板２０４が相互に連接する対応箇所に位置する。
【００１１】
第一右ガイド固定ブロック２０は図３に示す通り、第一左ガイド固定ブロック１０に対応し、収容設置槽１０１の右側側壁に設置される。
第一右ガイド固定ブロック２０は絶縁機能を備えるエンジニアリング・プラスチックである。
第一右ガイド固定ブロック２０は収容設置槽１０１の前側に対応し、第一右ガイド斜面２１を有する。
第一右ガイド斜面２１は収容設置槽１０１の前側へ向かい延伸し、しかも第一右ガイド斜面２１は、収容設置槽１０１の左側から、右側へと傾斜する。
第一右ガイド固定ブロック２０は第一左固定平面１２に対応し、第一右固定平面２２に設置される。
第一右固定平面２２には２個の螺合孔１３が貫通状に設置され、ネジを用いて、第一左ガイド固定ブロック２０が、収容設置槽１０１の右側側壁に固定される。
パワーサプライ２００が収容設置槽１０１に設置されると、第一右固定平面２２はパワーサプライ２００の背面板２０３及び底板２０４が相互に連接する対応箇所に位置する。
【００１２】
第二左ガイド固定ブロック３０は収容設置槽１０１の左側側壁に設置され、しかも収容設置槽１０１の前方箇所に位置する。
第二左ガイド固定ブロック３０は絶縁機能を備えるゴムで、第二左ガイド固定ブロック３０は収容設置槽１０１の前側に対応し、第二左ガイド斜面３１を有する。
第二左ガイド斜面３１は収容設置槽１０１の前側へ向かい延伸し、しかも第二左ガイド斜面３１は収容設置槽１０１の右側から左側へと傾斜する。
第二左ガイド固定ブロック３０は収容設置槽１０１の中央位置に対応し、第二左固定平面３２を設置する。
第二左固定平面３２には２個の螺合孔３３が貫通状に設置され、ネジを用いて、第二左ガイド固定ブロック３０が収容設置槽１０１の左側側壁に固定される。
パワーサプライ２００が収容設置槽１０１に設置されると、第二左固定平面３２はパワーサプライ２００底板２０４の対応箇所に位置する。
【００１３】
第二右ガイド固定ブロック４０は第二左ガイド固定ブロック３０に対応し、収容設置槽１０１の右側側壁に設置される。
第二右ガイド固定ブロック４０は絶縁機能を備えるゴムで、第二右ガイド固定ブロック４０は収容設置槽１０１の前側に対応し、第二右ガイド斜面４１を有する。
第二右ガイド斜面４１は収容設置槽１０１の前側へ向かい延伸し、しかも第二右ガイド斜面４１は収容設置槽１０１の左側から右側へと傾斜する。
第二右ガイド固定ブロック４０は第二左固定平面３２に対応し、第二右固定平面４２を設置する。
第二右固定平面４２には２個の螺合孔４３が貫通状に設置され、ネジを用いて、第二右ガイド固定ブロック４０が収容設置槽１０１の右側側壁に固定される。
パワーサプライ２００が収容設置槽１０１に設置されると、第二右固定平面４２はパワーサプライ２００底板２０４の対応箇所に位置する。
【００１４】
図４及び図５に示す通り、パワーサプライ２００をラック１００の収容設置槽１０１に入れる時、使用者は、パワーサプライ２００を収容設置槽１０１内へと押すだけで良い。
この時、パワーサプライ２００背面板２０３の辺角は、収容設置槽１０１前方の第二左ガイド斜面３１及び第二右ガイド斜面４１に沿う。
これにより、パワーサプライ２００は収容設置槽１０１の真ん中位置に導かれる。
これにより、パワーサプライ２００両側の左側板２０１及び右側板２０２は、第二左固定平面３２及び第二右固定平面４２に接触して支えられる。
しかも、第二左固定平面３２及び第二右固定平面４２は、底板２０４の対応箇所に位置する。
続いて、使用者は、収容設置槽１０１内へとパワーサプライ２００を押す。
この時、パワーサプライ２００背面板２０３の辺角は収容設置槽１０１後方の第一左ガイド斜面１１及び第一右ガイド斜面２１に沿って、パワーサプライ２００を収容設置槽１０１の真ん中位置に導く。
これにより、パワーサプライ２００両側の左側板２０１及び右側板２０２は、第一左固定平面１１及び第一右固定平面２２に接触して支えられる。
しかも第一左固定平面１２及び第一右固定平面２２は、パワーサプライ２００の背面板２０３及び底板２０４が相互に連接する対応箇所に位置する。
これにより、本考案は簡単な構造で、パワーサプライ２００両側の左側板２０１及び右側板２０２は第一左固定平面１２、第一右固定平面２２、第二左固定平面３２及び第二右固定平面４２に挟持され、パワーサプライ２００は収容設置槽１０１中で左右に移動せず、パワーサプライ２００の収容設置槽１０１中での堅固性を強化できる。
【００１５】
パワーサプライ２００は背面板２０３及び底板２０４を貫通して左側板２０１及び右側板２０２の間を跨ぐことでサポート作用を形成し、背面板２０３は該第一左固定平面１２及び第一右固定平面２２で支えられ、パワーサプライ２００を挟持できる。
また、左側板２０１及び右側板２０２の間を跨ぐことで形成されるサポート作用により、底板２０４は第二左固定平面３２及び第二右固定平面４２で支えられ、底板２０４はパワーサプライ２００を挟持できる。
こうして、ラック１００の揺れ動きによるパワーサプライ２００の損壊が回避され、さらにパワーサプライ２００の収容設置槽１０１中での堅固性が強化される。
【００１６】
収容設置槽１０１前方の第三ガイド固定ブロック３０及び第四ガイド固定ブロック４０はゴム材質で、収容設置槽１０１後方の第一ガイド固定ブロック１０及び第二ガイド固定ブロック２０はエンジニアリング・プラスチック材質である。
ゴム材質は軟らかく、しかも弾性を備えるため、エンジニアリング・プラスチック材質はそれに比べれば硬い。
よって、パワーサプライ２００が収容設置槽１０１に進入後、第三ガイド固定ブロック３０及び第四ガイド固定ブロック４０の材質（ゴム）は比較的軟らかく、しかも抵抗力が比較的小さいため、パワーサプライ２００は比較的容易に収容設置槽１０１中に押し入れられる。
一方、第一ガイド固定ブロック１０及び第二ガイド固定ブロック２０の材質（エンジニアリング・プラスチック）は比較的硬いため、パワーサプライ２００が収容設置槽１０１中に定位された後は、硬めの第一ガイド固定ブロック１０及び第二ガイド固定ブロック２０によるサポート効果により、パワーサプライ２００が収容設置槽１０１中に堅固に設置され、本考案の使用者はパワーサプライ２００の利便性及び堅固性を高めることができる。
【００１７】
前記した本考案の実施形態は本考案を限定するものではなく、よって、本考案により保護される範囲は実用新案登録請求の範囲を基準とする。
【符号の説明】
【００１８】
１００  パワーサプライラック、
１０１  収容設置槽、
１０  第一左ガイド固定ブロック、
１１  第一左ガイド斜面、
１２  第一左固定平面、
１３  螺合孔、
２０  第一右ガイド固定ブロック、
２１  第一右ガイド斜面、
２２  第一右固定平面、
２３  螺合孔、
３０  第二左ガイド固定ブロック、
３１  第二左ガイド斜面、
３２  第二左固定平面、
３３  螺合孔、
４０  第二右ガイド固定ブロック、
４１  第二右ガイド斜面、
４２  第二右固定平面、
４３  螺合孔、
２００  パワーサプライ、
２０１  左側板、
２０２  右側板、
２０３  背面板、
２０４  底板。
【図１】
0003220912.tif 000003
【図２】
0003220912.tif 000004
【図３】
0003220912.tif 000005
【図４】
0003220912.tif 000006
【図５】
0003220912.tif 000007